(57)【要約】【課題】光源制御装置において、外観に優れた光源制御装置を提供できるようにすることにある。【解決手段】光源制御装置１５は、第１の光源３３の光量および第２の光源３４の光量を制御し、第１の光源３３の光量を増加させ、且つ、第２の光源３４の光量を減少または維持させる場合、および第２の光源３４の光量を減少させ、且つ、第１の光源３３の光量を増加または維持させる場合の、少なくとも一方の場合において第１の光源３３および第２の光源３４が同時に点灯している状態を維持する。【選択図】図６
2019006179.tif 000002
【特許請求の範囲】
【請求項１】
自転車に備えられる光源制御装置であって、
第１の光源と、
第２の光源と、
前記第１の光源の光量および前記第２の光源の光量を制御し、
前記第１の光源の光量を増加させ、且つ、前記第２の光源の光量を減少または維持させる場合、および前記第２の光源の光量を減少させ、且つ、前記第１の光源の光量を増加または維持させる場合の、少なくとも一方の場合において前記第１の光源および前記第２の光源が同時に点灯している状態を維持する光源制御部と、
を備えた、
光源制御装置。
【請求項２】
前記光源制御部は、前記第１の光源の光量を減少させ、且つ、前記第２の光源の光量を増加または維持させる場合、および前記第２の光源の光量を増加させ、且つ、前記第１の光源の光量を減少または維持させる場合の少なくとも一方の場合において前記第１の光源および前記第２の光源が同時に点灯している状態を維持する、
請求項１に記載の光源制御装置。
【請求項３】
前記光源制御部は、前記第１の光源が点灯している場合において常に前記第２の光源を点灯させる、
請求項１又は２のいずれか１項に記載の光源制御装置。
【請求項４】
前記光源制御部は、前記第１の光源および前記第２の光源を同時に点灯させる、
請求項１から３のいずれか１項に記載の光源制御装置。
【請求項５】
前記光源制御部は、前記第１の光源および前記第２の光源を同時に消灯させる、
請求項１から４のいずれか１項に記載の光源制御装置。
【請求項６】
前記第１の光源および前記第２の光源は光軸の方向が互いに異なる、
請求項１から５のいずれか１項に記載の光源制御装置。
【請求項７】
前記第１の光源および前記第２の光源が設けられる基板を有し、
前記基板上の前記第１の光源が実装される第１実装面と前記第２の光源が実装される第２実装面の向いている方向が同じである、
請求項１から６のいずれか１項に記載の光源制御装置。
【請求項８】
前記第１の光源はハイビーム用光源である、
請求項１から７のいずれか１項に記載の光源制御装置。
【請求項９】
前記第２の光源はロービーム用光源である、
請求項１から８のいずれか１項に記載の光源制御装置。
【請求項１０】
前記第１の光源は、消費電力が前記第２の光源の消費電力よりも大きい
請求項１から９のいずれか１項に記載の光源制御装置。
【請求項１１】
前記第１の光源の照射領域と前記第２の光源の照射領域とは互いに異なる、
請求項１から１０のいずれか１項に記載の光源制御装置。
【請求項１２】
前記第２の光源は前記第１の光源と比較して照射領域が制限されている、
請求項１から１１のいずれか１項に記載の光源制御装置。
【請求項１３】
前記第２の光源は前記第１の光源と比較して所定方向への照射領域が他の方向に比較して制限されている、
請求項１から１２のいずれか１項に記載の光源制御装置。
【請求項１４】
前記第１の光源と前記第２の光源とは前記所定方向に並んでいる、
請求項１３に記載の光源制御装置。
【請求項１５】
前記第１の光源と前記第２の光源とは前記所定方向に直行する方向に並んでいる、
請求項１３又は１４に記載の光源制御装置。
【請求項１６】
前記所定方向は上方である請求項１３から１５のいずれか１項に記載の光源制御装置。
【請求項１７】
周囲の照度を検出する照度センサをさらに備え、
前記光源制御部は、前記照度センサの検出結果に基づいて前記第１の光源の光量および前記第２の光源の光量の少なくとも一方の光量を変化させる、
請求項１から１６のいずれか１項に記載の光源制御装置。
【請求項１８】
操作部をさらに備え、
前記光源制御部は、前記操作部の操作に基づいて前記第１の光源の光量および前記第２の光源の光量の少なくとも一方の光量を変化させる、
請求項１から１６のいずれか１項に記載の光源制御装置。
【請求項１９】
前記自転車の速度を検出する速度センサをさらに備え、
前記光源制御部は、前記速度センサの検出結果に基づいて前記第１の光源の光量および前記第２の光源の光量の少なくとも一方の光量を変化させる、
請求項１から１６のいずれか１項に記載の光源制御装置。
【請求項２０】
請求項１から１９のいずれか１項に記載の光源制御装置を備えた、
自転車用照明装置。
【発明の詳細な説明】
【技術分野】
【０００１】
本発明は、光源制御装置、及び光源制御装置を備えた自転車用照明装置に関する。
【背景技術】
【０００２】
従来の自転車用の照明装置には、複数の光源を備えたものがある。例えば特許文献１には、主ＬＥＤ発光体および副ＬＥＤ発光体の２つのＬＥＤ発光体を備え、周囲の照度に応じて主ＬＥＤ発光体および副ＬＥＤ発光体のいずれか一方のみを発光させる自転車用点灯制御装置が開示されている。
【先行技術文献】
【特許文献】
【０００３】
【特許文献１】特許第５７６６２４５号公報
【発明の概要】
【発明が解決しようとする課題】
【０００４】
特許文献１の自転車用点灯制御装置は、周囲の照度に応じて２つのＬＥＤ発光体のいずれか一方のみを発光させるため、外観が悪化する虞がある。
【０００５】
本発明の課題は、光源制御装置において、外観に優れた光源制御装置を提供できるようにすることにある。
【課題を解決するための手段】
【０００６】
本発明の一側面に係る光源制御装置は、第１の光源と、第２の光源と、光源制御装置と、を備える。光源制御装置は、第１の光源の光量および第２の光源の光量を制御し、第１の光源の光量を増加させ、且つ、第２の光源の光量を減少または維持させる場合、および第２の光源の光量を減少させ、且つ、第１の光源の光量を増加または維持させる場合の、少なくとも一方の場合において第１の光源および第２の光源が同時に点灯している状態を維持する。
【０００７】
この光源制御装置では、第１の光源の光量を増加させ、且つ、第２の光源の光量を減少または維持させる場合、および第２の光源の光量を減少させ、且つ、第１の光源の光量を増加または維持させる場合の、少なくとも一方の場合において第１の光源および第２の光源が同時に点灯している状態を維持するため、外観に優れた光源制御装置の提供が可能になる。
【０００８】
好ましくは、光源制御部は、第１の光源の光量を減少させ、且つ、第２の光源の光量を増加または維持させる場合、および第２の光源の光量を増加させ、且つ、第１の光量を減少または維持させる場合の少なくとも一方の場合において第１の光源および第２の光源が同時に点灯している状態を維持する。
【０００９】
この光源制御装置では、第１の光源の光量を減少させ、且つ、第２の光源の光量を増加または維持させる場合、および第２の光源の光量を増加させ、且つ、第１の光量を減少または維持させる場合の少なくとも一方の場合においても第１の光源および第２の光源が同時に点灯している状態を維持するため、外観に優れた光源制御装置の提供が可能になる。
【００１０】
好ましくは、光源制御部は、第１の光源が点灯している場合において常に第２の光源を点灯させる。この光源制御装置では、第１の光源が点灯している場合には常に第２の光源が点灯しているので、外観に優れた光源制御装置の提供が可能になる。
【００１１】
好ましくは、光源制御部は、第１の光源および前記第２の光源を同時に点灯させる。この光源制御装置では、点灯時から外観に優れた光源制御装置の提供が可能になる。
【００１２】
好ましくは、光源制御部は、前記第１の光源および前記第２の光源を同時に消灯させる。  この光源制御装置では、消灯時にも外観に優れた光源制御装置の提供が可能になる。
【００１３】
好ましくは、第１の光源および第２の光源は光軸の方向が互いに異なる。この光源制御装置では、互いに光軸が異なる複数の光源を有する光源制御装置において外観に優れた光源制御装置の提供が可能になる。
【００１４】
好ましくは、第１の光源および第２の光源が設けられる基板を有し、
基板上の第１の光源が実装される第１実装面と第２の光源が実装される第２実装面の向いている方向が同じである。この光源制御装置では、第1実装面と第２実装面とが同じ方向を向いているため、光源制御装置の製造が容易になる。
【００１５】
好ましくは、第１の光源はハイビーム用光源である。この光源制御装置では、ハイビーム用光源を有する光源制御装置において外観に優れた光源制御装置の提供が可能になる。
【００１６】
好ましくは、第２の光源はロービーム用光源である。この光源制御装置では、ロービーム用光源を有する光源制御装置において外観に優れた光源制御装置の提供が可能になる。
【００１７】
好ましくは、第１の光源は、消費電力が第２の光源の消費電力よりも大きい。この光源制御装置では、互いに消費電力が異なる光源を有する光源制御装置において外観に優れた光源制御装置の提供が可能になる。
【００１８】
好ましくは、第１の光源の照射領域と第２の光源の照射領域とは互いに異なる。この光源制御装置では、互いに照射領域が異なる光源を有する光源制御装置において外観に優れた光源制御装置の提供が可能になる。
【００１９】
好ましくは、第２の光源は第１の光源と比較して照射領域が制限されている。この光源制御装置では、状況に応じた適切な照射が可能になる。
【００２０】
好ましくは、第２の光源は第１の光源と比較して所定方向への照射領域が他の方向に比較して制限されている。この光源制御装置では、状況に応じて所定方向への照射を抑制することが可能になる。
【００２１】
好ましくは、第１の光源と第２の光源とは所定方向に並んでいる。この光源制御装置で、照射を抑制する方向に並んでいる光源を有する光源制御装置において外観に優れた光源制御装置の提供が可能になる。
【００２２】
好ましくは、第１の光源と第２の光源とは所定方向に直行する方向に並んでいる。この光源制御装置では、照射を抑制する方向と直行する方向に並んでいる光源を有する光源制御装置において外観に優れた光源制御装置の提供が可能になる。
【００２３】
好ましくは、所定方向は上方である。この光源制御装置では、状況に応じて上方への照射を抑制することが可能になる。
【００２４】
好ましくは、周囲の照度を検出する照度センサをさらに備え、光源制御部は、照度センサの検出結果に基づいて第１の光源の光量および第２の光源の光量の少なくとも一方の光量を変化させる。この光源制御装置では、周囲の照度に応じて第１の光源の光量および第２の光源の光量の少なくとも一方の光量を変化させる光源制御装置において外観に優れた光源制御装置の提供が可能になる。
【００２５】
好ましくは、操作部をさらに備え、光源制御部は、操作部の操作に基づいて第１の光源の光量および第２の光源の光量の少なくとも一方の光量を変化させる。この光源制御装置では、ユーザによる操作に応じて第１の光源の光量および第２の光源の光量の少なくとも一方の光量を変化させる光源制御装置において外観に優れた光源制御装置の提供が可能になる。
【００２６】
好ましくは、自転車の速度を検出する速度センサをさらに備え、光源制御部は、速度センサの検出結果に基づいて第１の光源の光量および第２の光源の光量の少なくとも一方の光量を変化させる。この光源制御装置では、自転車の速度に応じて第１の光源の光量および第２の光源の光量の少なくとも一方の光量を変化させる光源制御装置において外観に優れた光源制御装置の提供が可能になる。
【００２７】
本発明に係る自転車用照明装置は、以上に記載のいずれかの光源制御装置を備えている。この場合は、以上に記載のいずれかの光源制御装置を備える自転車用照明装置において外観に優れた自転車用照明装置の提供が可能になる。
【発明の効果】
【００２８】
本発明によれば、光源制御装置において、外観に優れた光源制御装置の提供が可能になる。
【図面の簡単な説明】
【００２９】
【図１】本発明の一実施形態が採用された自転車の側面図。
【図２】前消灯の断面図。
【図３】前消灯の正面図。
【図４】光源制御装置の構成を示すブロック図。
【図５】光源制御部の光源制御処理を示すフローチャート。
【図６】他の実施形態に係る図４に相当する図。
【図７】他の実施形態に係る図５に相当する図。
【図８】他の実施形態に係る図４に相当する図。
【図９】他の実施形態に係る図５に相当する図。
【図１０】他の実施形態に係る図１に相当する図。
【図１１】他の実施形態に係る図３に相当する図。
【発明を実施するための形態】
【００３０】
以下の説明において、説明を分かり易くするために、自転車１００の進行方向を前方と規定して説明する。具体的には、図１において、右側が前方である。また、自転車１００を前方から見たときの左側を左、右側を右と規定して説明する。
【００３１】
＜第１実施形態＞
図１は、本発明の一実施形態が採用された自転車１００の側面図である。自転車１００は、フロントフォーク２ａを有するフレーム２と、ハンドル４と、前輪６と、後輪８と、チェーン１０やペダル１２等で構成された駆動部１４と、光源制御装置１５（図２及び図４参照）を有する前照灯１６と、を備えている。前輪６には、発電機１８の一例としてハブダイナモが組み込まれており、発電機１８で生成された電力が電力線２０を介して前照灯１６に供給される。
【００３２】
前照灯１６は、自転車用照明装置の一例である。前照灯１６は、自転車１００のフロントフォーク２ａから前方に延びるランプスティ２２にブラケット２４を介して固定されている。前照灯１６は、図２及び図３に示すように、ケース部材３１を有している。ケース部材３１は、図３に示すように、前方から見たとき、略長円形状である。ケース部材３１は、光源制御装置１５が収容される収容空間３１ａと、第１開口部３１ｂと、第２開口部３１ｃと、を有している。
【００３３】
第１開口部３１ｂおよび第２開口部３１ｃは、略円形の開口であり、ケース部材３１の前方に互いに上下方向に並んで形成されている。第１開口部３１ｂには、後述する第１レンズ４４が装着される。第２開口部３１ｃには、後述する第２レンズ４５が装着される。
【００３４】
ケース部材３１は、図２に示すように、外部からの光を収容空間３１ａに取り入れるための採光窓３１ｄを有している。採光窓３１ｄは、ケース部材３１の後方に形成されている。採光窓３１ｄは、透明なカバー部材４０により封止されている。
【００３５】
光源制御装置１５は、図３及び図４に示すように、基板３２と、第１の光源３３と、第２の光源３４と、照度センサ３５と、光源制御部３６と、を備えている。なお図４は、前照灯１６を自転車１００の前方から見た図である。
【００３６】
基板３２は、ケース部材３１の収容空間３１ａに収容されている。基板３２には、発電機１８で生成された電力が供給される。詳細には、発電機１８で生成された交流（ＡＣ）電力を直流（ＤＣ）電力に変換するための整流器３７を介して基板３２に電力が供給される。
【００３７】
基板３２は、図３に示すように、第１実装面３２ａと、第２実装面３２ｂと、を有している。第１実装面３２ａと第２実装面３２ｂとは、同じ方向を向いている。本実施形態では、第１実装面３２ａと第２実装面３２ｂとは、上下方向に並んで、どちらも前方を向いている。第１実装面３２ａには、第１の光源３３が実装される。第２実装面３２ｂには、第２の光源３４が実装される。
【００３８】
第１の光源３３および第２の光源３４は、本実施形態ではともに発光ダイオードである。第１の光源３３と第２の光源３４とは、所定方向に並んで配置されている。本実施形態では、第１の光源３３および第２の光源３４は、上下方向に並んで配置されている。なお、本実施形態では、第１の光源３３の最大消費電力は、第２の光源３４の最大消費電力よりも大きい。すなわち、第１の光源３３の光量は、第２の光源３４の光量よりも多い。
【００３９】
第１の光源３３は、本実施形態ではハイビーム用光源である。第１の光源３３は、ケース部材３１の内部に固定された支持部材４２により支持されている。支持部材４２の外周部には、第１の光源３３からの光を第１レンズ４４に向けて反射させるための反射部材４６が固定されている。反射部材４６は、支持部材４２の先端の外周部から第１レンズ４４の外周に向けて円弧状に延びて形成されている。
【００４０】
第１レンズ４４は、表面がフラット状の平面レンズである。第１の光源３３から照射された光は、第１レンズ４４を通過して、第１の光源３３の光軸Ａに平行に進む。
【００４１】
第２の光源３４は、本実施形態ではロービーム用光源である。第２の光源３４は、ケース部材３１の内部に固定された支持部材４３により支持されている。支持部材４３の外周部には、第２の光源３４からの光を第２レンズ４５に向けて反射させるための反射部材４７が固定されている。反射部材４７は、支持部材４３の先端の外周部から第２レンズ４５の外周に向けて円弧状に延びて形成されている。
【００４２】
第２の光源３４は、照射領域が第１の光源３３とは異なっている。詳細には、第２の光源３４は、第１の光源３３と比較して照射領域が制限されている。具体的には、第２の光源３４は、第２の光源３４を前方から覆う第２レンズ４５によって、所定方向の照射領域が制限されている。本実施形態では、第２の光源３４の照射領域が図２及び図３に示す水平線Ｈよりも上方に侵入しないように第２の光源３４の上方の照射領域が他の方向に比較して制限されている。
【００４３】
第２レンズ４５は、凸レンズ部４５ａと、平面レンズ部４５ｂと、を有している。図２及び図３に示す二点鎖線Ｃを境界にして、凸レンズ部４５ａは第２レンズ４５の上半分側に、平面レンズ部４５ｂは第２レンズ４５の下半分側に設けられている。第２の光源３４は、凸レンズ部４５ａに対向する位置に配置されている。このため、第１の光源３３および第２の光源３４は、対応するレンズ４４，４５を経た後の光軸の方向が互いに異なっている。詳細には、第２の光源３４は、凸レンズ部４５ａにより凸レンズ部４５ａを経た後の光軸の方向が変更されている。本実施形態では、凸レンズ部４５ａを経た後の光軸Ｂは、光軸Ａよりも下方を向いている。第２の光源３４から照射された光のうち、凸レンズ部４５ａを通過する光は、凸レンズ部４５ａを経た後の光軸Ｂに平行に進む。一方、第２の光源３４から照射された光のうち、平面レンズ部４５ｂを通過する光は、第１レンズ４４を通過する光と同様に光軸Ａに平行に進む。
【００４４】
照度センサ３５は、基板３２に電気的に接続されている。照度センサ３５は、採光窓３１ｄから入り込む光の照度を検出して、光源制御部３６に電気信号を出力する。
【００４５】
光源制御部３６は、基板３２に電気的に接続されている。光源制御部３６は、第１の光源３３および第２の光源３４の光量を制御する。詳細には、光源制御部３６は、照度センサ３５の検出結果に基づいて、第１の光源３３の光量および第２の光源３４の光量の少なくとも一方の光量を変化させる。具体的には、光源制御部３６は、第１の光源３３の光量を増加させ、且つ、第２の光源３４の光量を減少または維持させる場合、および第２の光源３４の光量を減少させ、且つ、第１の光源３３の光量を増加または維持させる場合の、少なくとも一方の場合において第１の光源３３および第２の光源３４が同時に点灯している状態を維持するように第１の光源３３および第２の光源３４を制御する。
【００４６】
本実施形態における光源制御部３６は、照度センサ３５によって検出された検出照度が所定照度以下であれば、第１の光源３３を１００％の光量に制御し、第２の光源３４を１００％の光量よりも少なく０％よりも多い光量に制御する。反対に、照度センサ３５によって検出された検出照度が所定照度を超えている場合は、光源制御部３６は、第１の光源３３の光量を１００％の光量よりも少なく０％よりも多い光量に制御し、第２の光源３４の光量を１００％の光量に制御する。
【００４７】
なお、光源制御部３６は、第１の光源３３の光量を減少させ、且つ、第２の光源３４の光量を増加または維持させる場合、および第２の光源３４の光量を増加させ、且つ、第１の光源３３の光量を減少または維持させる場合の少なくとも一方の場合において第１の光源３３および第２の光源３４が同時に点灯している状態を維持するように構成してもよい。また、光源制御部３６は、第１の光源３３が点灯している場合において常に第２の光源３４を点灯させてもよいし、第２の光源３４が点灯している場合において、常に第１の光源３３を点灯させてもよい。また、第１の光源３３および第２の光源３４を同時に消灯させてもよい。さらに、光源制御部３６は、第１の光源３３が点灯している場合において常に第２の光源３４を点灯させてもよいし、第２の光源３４が点灯している場合において常に第１の光源３３を点灯させてもよい。
【００４８】
次に、光源制御装置１５の光源制御部３６の制御処理の一例を、図５を参照して説明する。自転車１００が走行して、発電機１８で生成された電力が光源制御装置１５に供給されると、光源制御部３６が光源制御処理を開始する。
【００４９】
ステップＳ１で、照度センサ３５で検出された検出照度Ｌ１を取り込む。
【００５０】
ステップＳ２で、検出照度Ｌ１が所定照度Ｌ以下であるか否かを判断する。検出照度Ｌ１が所定照度Ｌ以下であれば、ステップＳ３に移行する。所定照度Ｌとは、例えば、１０００ルクスである。
【００５１】
ステップＳ３で、第１制御に応じた光量で第１の光源３３および第２の光源３４を点灯させる。ここで、第１制御とは、ハイビーム用光源である第１の光源３３をメインの光源とし、ロービーム用光源である第２の光源３４をサブの光源とする制御である。詳細には、第１制御は、第１の光源３３の光量を１００％の光量に制御し、第２の光源３４の光量を１００％の光量よりも減少させて、第２の光源３４の光量を１００％の光量よりも少なく０％よりも多い光量に制御する。
【００５２】
ステップＳ２で、検出照度Ｌ１が所定照度Ｌ以下でなければ、ステップＳ４に移行する。ステップＳ４では、第２制御に応じた光量で第１の光源３３および第２の光源３４を点灯させる。ここで、第２制御とは、ハイビーム用光源である第１の光源３３をサブの光源とし、ロービーム用光源である第２の光源３４をメインの光源とする制御である。詳細には、第２制御は、第１の光源３３の光量を１００％の光量よりも減少させて、第１の光源３３の光量を１００％の光量よりも少なく０％よりも多い光量に制御し、第２の光源３４の光量を１００％の光量に制御する。
【００５３】
なお、ステップＳ３及びステップＳ４において、第１の光源３３と第２の光源３４とを同時に点灯させてもよい。
【００５４】
ステップＳ３及びステップＳ４の後は、ステップＳ１に戻り、電力の供給が停止されるまで繰り返し制御処理を行う。例えば、光源制御部３６が第１の光源３３および第２の光源３４を第１制御で制御しているときに、検出照度Ｌ１が所定照度Ｌを超えると、光源制御部３６は、第１制御から第２制御に切り替える。光源制御部３６は、第１制御から第２制御に切り替えるとき、第１の光源３３の光量を減少させて第１の光源３３の光量を１００％の光量よりも少なく０％よりも多い光量に制御し、且つ、第２の光源３４の光量を増加させて第２の光源３４の光量を１００％の光量に制御する。反対に、光源制御部３６が第１の光源３３および第２の光源３４を第２制御で制御しているときに、検出照度Ｌ１が所定照度Ｌ以下になると、光源制御部３６は、第２制御から第１制御に切り替える。光源制御部３６は、第２制御から第１制御に切り替えるとき、第１の光源３３の光量を増加させて第１の光源３３の光量を１００％の光量に制御し、且つ、第２の光源３４の光量を減少させて第２の光源３４の光量を１００％の光量よりも少なく０％よりも多い光量に制御する。なお、光源制御装置１５への電力の供給が停止されたときは、第１の光源３３および第２の光源３４を同時に消灯させるように制御してもよい。
【００５５】
上記の光源制御処理では、電力の供給が停止されるまで間、検出照度Ｌ１に応じて、第１制御および第２制御のいずれかの制御に対応する光量で第１の光源３３および第２の光源３４のそれぞれの光量が制御される。そして、光源制御部３６は、検出照度Ｌ１に応じて第１の光源３３の光量および第２の光源３４の光量を変化させる場合において、第１の光源３３および第２の光源３４が同時に点灯している状態を維持する。これにより、２つの光源が同時に点灯している状態が維持されるため、外観がアンバランスになることを抑えることができる。
【００５６】
＜第２実施形態＞
第２実施形態の光源制御装置１１５は、図６に示すように、光源制御装置１１５に有線もしくは無線等で電気的に接続された操作部５２の操作によって、第１制御と第２制御との切り替えを行う。その他の構成は、第１実施形態と同様である。操作部５２は、例えば、ハンドル４に配置された押しボタン、又はトグルスイッチ等のスイッチである。本実施形態では、第１位置と第２位置とに切り替え可能なトグルスイッチを操作部５２の一例にして、光源制御装置１１５の光源制御部１３６の制御手順について図７を参照して説明する。
【００５７】
自転車１００が走行して、発電機１８で生成された電力が光源制御装置１１５に供給されると、光源制御部１３６が光源制御処理を開始する。
【００５８】
ステップＳ１１で、操作部５２の状態を取り込む。すなわち、操作部５２が第１位置および第２位置のいずれの位置にあるかについての情報を取り込む。
【００５９】
ステップＳ１２で、操作部５２が第１位置の状態にあるか否かを判断する。操作部５２が第１位置の状態にあると判断すると、ステップＳ１３に移行する。
【００６０】
ステップＳ１３で、第１制御に応じた光量で第１の光源３３および第２の光源３４を点灯させる。
【００６１】
ステップＳ１２で、操作部５２が第１位置の状態にないと判断すると、ステップＳ１４に移行する。言い換えると、操作部５２が第２位置の状態にあると判断すると、ステップＳ１４に移行する。
【００６２】
ステップＳ１４で、第２制御に応じた光量で第１の光源３３および第２の光源３４を点灯させる。
【００６３】
ステップＳ１３およびステップＳ１４の後は、ステップＳ１１に戻り、電力の供給が停止されるまで繰り返し制御処理を行う。
【００６４】
本実施形態においても、電力の供給が停止されるまで間、操作部５２の操作に応じて、第１制御および第２制御のいずれかの制御に応じた光量で第１の光源３３および第２の光源３４のそれぞれの光量が制御される。このため、光源制御部３６が操作部５２の操作に応じて第１の光源３３の光量および第２の光源３４の光量を変化させる場合において、第１の光源３３および第２の光源３４が同時に点灯している状態が維持される。
【００６５】
＜第３実施形態＞
第３実施形態の光源制御装置２１５は、図８に示すように、光源制御部２３６に電気的に接続された速度センサ５４の検出結果に基づいて、第１制御と第２制御との切り替えを行う。速度センサ５４は、自転車１００の走行速度を検出して、検出結果を光源制御部２３６に出力する。速度センサ５４は、例えば、自転車１００のフロントフォーク２ａに取り付けられたホール素子であり、前輪６のスポークに取り付けられた磁石（図示しない）により、自転車１００の回転速度を検出する。
【００６６】
次に、本実施形態の光源制御装置２１５の光源制御部２３６の制御手順について図９を参照して説明する。自転車１００が走行して、発電機１８で生成された電力が光源制御装置２１５に供給されると、光源制御部２３６が光源制御処理を開始する。
【００６７】
ステップＳ２１で、速度センサ５４で検出された検出速度Ｖ１を取り込む。
【００６８】
ステップＳ２２で、検出速度Ｖ１が所定速度Ｖ以上であるか否かを判断する。検出速度Ｖ１が所定速度Ｖ以上であれば、ステップＳ２３に移行する。所定速度Ｖとは、例えば、時速２０ｋｍである。
【００６９】
ステップＳ２３で、第１制御に応じた光量で第１の光源３３および第２の光源３４を点灯させる。ステップＳ２２で、検出速度Ｖ１が所定速度Ｖ以上でなければ、ステップＳ２４に移行する。
【００７０】
ステップＳ２４で、第２制御に応じた光量で第１の光源３３および第２の光源３４を点灯させる。
【００７１】
ステップＳ２３およびステップＳ２４の後は、ステップＳ２１に戻り、電力の供給が停止されるまで繰り返し制御処理を行う。
【００７２】
本実施形態においても、検出速度Ｖ１に応じて第１の光源３３の光量および第２の光源３４の光量を変化させる場合において、第１の光源３３および第２の光源３４が同時に点灯している状態が維持される。
【００７３】
＜他の実施形態＞
以上、本発明の実施形態について説明したが、具体的な構成はこれらの実施形態に限られるものではなく、発明の要旨を逸脱しない範囲で変更可能である。
【００７４】
（ａ）前記実施形態では、第１の光源３３および第２の光源３４として、発光ダイオードを例示したが、電球や蛍光灯などの光源であってもよい。
【００７５】
（ｂ）前記実施形態において、第１の光源３３および第２の光源３４を複数の光源の集合体で構成してもよい。この場合、光源制御部３６，１３６，２３６は、複数の光源の集合体の点灯数を変更して光源の光量を制御してもよい。
【００７６】
（ｃ）前記実施形態では、光源制御部３６，１３６，２３６は、第１の光源３３および第２の光源３４を、第１制御および第２制御に応じた光量になるように制御していたが、第１の光源３３および第２の光源３４の光量の制御は、これに限定されない。例えば、照度センサ３５もしくは速度センサ５４の検出結果に基づいて、第１の光源３３の光量および第２の光源３４の光量の少なくとも一方の光量を変化させてもよい。また、操作部５２の操作に基づいて、第１の光源３３の光量および第２の光源３４の光量の少なくとも一方の光量を変化させてもよい。さらには、照度センサ３５の照度、もしくは速度センサ５４の速度に比例させて、段階的に第１の光源３３および第２の光源３４の少なくとも一方の光量を変化させてもよい。この場合において、第１の光源３３および第２の光源３４が点灯しない段階を設けてもよい。また、第１の光源３３の光量を増加又は減少させる場合に、第２の光源３４の光量を維持させてもよいし、第２の光源３４の光量を増加又は減少させる場合に、第１の光源３３の光量を維持させてもよい。いずれにしても、光源制御部３６，１３６，２３６は、第１の光源３３および第２の光源３４の一方の光量を変化させる場合において、第１の光源３３および第２の光源３４が同時に点灯している状態を維持する構成であればよい。
【００７７】
（ｄ）前記実施形態において、照度センサ３５、操作部５２、及び速度センサ５４の少なくとも２つを組み合わせて、光源制御装置を構成してもよい。例えば、光源制御装置の制御方法を選択可能な操作部を設けて、状況に合わせて乗り手が自由に制御方法を選択できるようにしてもよい。
【００７８】
（ｅ）前記実施形態では、発電機１８生成された電力を光源制御装置１５，１１５，１２５に供給していたが、電力は発電機１８に限定されない。例えば、乾電池や蓄電池等から光源制御装置１５，１１５，１２５に電力を供給するように構成してもよい。
【００７９】
（ｆ）前記実施形態では、前照灯１６を自転車１００のフロントフォーク２ａから前方に延びるランプスティ２２にブラケット２４を介して固定していたが、前照灯１６にクランプ等の固定部を設けて、ハンドル４等の任意の位置に前照灯１６を配置できるように構成してもよい。
【００８０】
（ｇ）前記実施形態では、側面から視たとき、第１の光源３３の光軸Ａを、第２の光源３４の光軸Ｂよりも上に向けていたが、光軸Ａおよび光軸Ｂの方向はこれに限定されない。
【００８１】
（ｈ）前記実施形態では、第１の光源３３と第２の光源３４とを上下に並べて配置していたが、第１の光源３３と第２の光源３４とを所定方向に直行する方向に並べて配置してもよい。所定方向とは、例えば第２の光源３４の照射領域第が制限されている方向（本実施形態では上方）に直交する方向である。詳細には、図１１及び図１２に示すように、第１の光源３３と第２の光源３４とを左右方向に並べて配置してもよい。なお、図１１は、本発明の一実施形態が採用された自転車３００の側面図であり、図１２は、前照灯３１６を自転車３００の前方から見た図である。
【符号の説明】
【００８２】
１５，１１５，２２５  光源制御装置
１６  前照灯（自転車用照明装置の一例）
３２  基板
３２ａ  第１実装面
３２ｂ  第２実装面
３３  第１の光源
３４  第２の光源
３５  照度センサ
３６，１３６，２３６  光源制御部
５２  操作部
５４  速度センサ
１００  自転車
Ａ  光軸
Ｂ  光軸
【図１】
2019006179.tif 000003
【図２】
2019006179.tif 000004
【図３】
2019006179.tif 000005
【図４】
2019006179.tif 000006
【図５】
2019006179.tif 000007
【図６】
2019006179.tif 000008
【図７】
2019006179.tif 000009
【図８】
2019006179.tif 000010
【図９】
2019006179.tif 000011
【図１０】
2019006179.tif 000012
【図１１】
2019006179.tif 000013